(57)【要約】【課題】データ信号の通信を効率的に行うことができる基地局装置などを提供する。【解決手段】端末管理装置から送信される制御信号を受信し、当該制御信号を端末装置に対して送信するように制御する制御信号通信制御部と、通信装置から送信されるデータ信号を受信し、当該データ信号を前記端末装置に対して送信するように制御するデータ通信制御部と、前記通信装置から自装置を経由して前記端末装置へ前記データ信号を送信する通信経路から、前記通信装置から他の基地局装置を経由して前記端末装置へ前記データ信号を送信する通信経路へ切り替えることを、当該他の基地局装置に通知する通信経路制御部と、を備える基地局装置である。【選択図】図１
2015170891.tif 000002
【特許請求の範囲】
【請求項１】
端末管理装置から送信される制御信号を受信し、当該制御信号を端末装置に対して送信するように制御する制御信号通信制御部と、
通信装置から送信されるデータ信号を受信し、当該データ信号を前記端末装置に対して送信するように制御するデータ通信制御部と、
前記通信装置から自装置を経由して前記端末装置へ前記データ信号を送信する通信経路から、前記通信装置から他の基地局装置を経由して前記端末装置へ前記データ信号を送信する通信経路へ切り替えることを、当該他の基地局装置に通知する通信経路制御部と、
を備える基地局装置。
【請求項２】
端末管理装置から送信される制御信号を受信し、当該制御信号を端末装置に対して送信するように制御する制御信号通信制御部と、
通信装置から他の基地局装置を経由して前記端末装置へデータ信号を送信する通信経路を確立することを、当該他の基地局装置に通知する通信経路制御部と、
を備える基地局装置。
【請求項３】
端末管理装置から送信されて他の基地局装置を経由する制御信号を受信する端末装置へ通信装置から前記他の基地局装置を経由してデータ信号を送信する通信経路から、前記端末装置へ前記通信装置から自装置を経由してデータ信号を送信する通信経路へ切り替える要求を前記端末管理装置に送信することで、前記端末管理装置を経由させて前記通信装置へ伝える通信経路制御部と、
前記通信装置から送信されるデータ信号を受信し、当該データ信号を前記端末装置に対して送信するように制御するデータ通信制御部と、
を備える基地局装置。
【請求項４】
端末管理装置から送信されて他の基地局装置を経由する制御信号を受信する端末装置へ通信装置から前記他の基地局装置を経由してデータ信号を送信する通信経路から、前記端末装置へ前記通信装置から自装置を経由してデータ信号を送信する通信経路へ切り替える要求を前記通信装置に送信する通信経路制御部と、
前記通信装置から送信されるデータ信号を受信し、当該データ信号を前記端末装置に対して送信するように制御するデータ通信制御部と、
を備える基地局装置。
【請求項５】
端末管理装置から送信されて他の基地局装置を経由する制御信号を受信する端末装置へ通信装置から自装置を経由してデータ信号を送信する通信経路を確立する要求を前記端末管理装置に送信することで、前記端末管理装置を経由させて前記通信装置へ伝える通信経路制御部と、
前記通信装置から送信されるデータ信号を受信し、当該データ信号を前記端末装置に対して送信するように制御するデータ通信制御部と、
を備える基地局装置。
【請求項６】
端末管理装置から送信されて他の基地局装置を経由する制御信号を受信する端末装置へ通信装置から自装置を経由してデータ信号を送信する通信経路を確立する要求を前記通信装置に送信する通信経路制御部と、
前記通信装置から送信されるデータ信号を受信し、当該データ信号を前記端末装置に対して送信するように制御するデータ通信制御部と、
を備える基地局装置。
【請求項７】
端末管理装置から送信される制御信号を受信し、当該制御信号を端末装置に対して送信するように制御する制御信号通信制御部と、
通信装置から送信されるデータ信号を受信し、当該データ信号を前記端末装置に対して送信するように制御するデータ通信制御部と、
前記通信装置から自装置を経由して前記端末装置へ前記データ信号を送信する通信経路から、前記通信装置から他の基地局装置を経由して前記端末装置へ前記データ信号を送信する通信経路へ切り替える要求を前記端末管理装置に送信することで、前記端末管理装置を経由させて前記通信装置へ伝える通信経路制御部と、
を備える基地局装置。
【請求項８】
端末管理装置から送信される制御信号を受信し、当該制御信号を端末装置に対して送信するように制御する制御信号通信制御部と、
通信装置から送信されるデータ信号を受信し、当該データ信号を前記端末装置に対して送信するように制御するデータ通信制御部と、
前記通信装置から自装置を経由して前記端末装置へ前記データ信号を送信する通信経路から、前記通信装置から他の基地局装置を経由して前記端末装置へ前記データ信号を送信する通信経路へ切り替える要求を前記通信装置に送信する通信経路制御部と、
を備える基地局装置。
【請求項９】
端末管理装置から送信される制御信号を受信し、当該制御信号を端末装置に対して送信するように制御する制御信号通信制御部と、
通信装置から他の基地局装置を経由して前記端末装置へデータ信号を送信する通信経路を確立する要求を前記端末管理装置に送信することで、前記端末管理装置を経由させて前記通信装置へ伝える通信経路制御部と、
を備える基地局装置。
【請求項１０】
端末管理装置から送信される制御信号を受信し、当該制御信号を端末装置に対して送信するように制御する制御信号通信制御部と、
通信装置から他の基地局装置を経由して前記端末装置へデータ信号を送信する通信経路を確立する要求を前記通信装置に送信する通信経路制御部と、
を備える基地局装置。
【請求項１１】
前記した通信経路の切り替えまたは前記した通信経路の確立は、Ｉｎｔｒａ−ＭＭＥ／Ｓｅｒｖｉｎｇ  Ｇａｔｅｗａｙ  ＨＯの手続きをベースとしたプロトコルを用いて行われる、
請求項１から請求項１０のいずれか１項に記載の基地局装置。
【請求項１２】
端末管理装置から送信されて第１の基地局装置を経由する制御信号を受信する端末装置へ自装置から前記第１の基地局装置を経由してデータ信号を送信する通信経路から、前記端末装置へ自装置から第２の基地局装置を経由してデータ信号を送信する通信経路へ切り替える要求を受信したことに応じて、通信経路を切り替える、
通信装置。
【請求項１３】
端末管理装置から送信されて第１の基地局装置を経由する制御信号を受信する端末装置へ自装置から第２の基地局装置を経由してデータ信号を送信する通信経路を確立する要求を受信したことに応じて、通信経路を確立する、
通信装置。
【請求項１４】
端末管理装置から送信されて第１の基地局装置を経由する制御信号を受信する端末装置へ通信装置から前記第１の基地局装置を経由してデータ信号を送信する通信経路から、前記端末装置へ前記通信装置から第２の基地局装置を経由してデータ信号を送信する通信経路へ切り替える、
通信システム。
【請求項１５】
端末管理装置から送信されて第１の基地局装置を経由する制御信号を受信する端末装置へ通信装置から第２の基地局装置を経由してデータ信号を送信する通信経路を確立する、
通信システム。
【請求項１６】
端末管理装置から送信されて第１の基地局装置を経由する制御信号を受信する端末装置へ通信装置から前記第１の基地局装置を経由してデータ信号を送信する通信経路から、前記端末装置へ前記通信装置から第２の基地局装置を経由してデータ信号を送信する通信経路へ切り替える、
通信方法。
【請求項１７】
端末管理装置から送信されて第１の基地局装置を経由する制御信号を受信する端末装置へ通信装置から第２の基地局装置を経由してデータ信号を送信する通信経路を確立する、
通信方法。
【発明の詳細な説明】
【技術分野】
【０００１】
本発明は、基地局装置、通信装置、通信システムおよび通信方法に関する。
【背景技術】
【０００２】
３ＧＰＰで検討されているＬＴＥ−Ａｄｖａｎｃｅｄシステムでは、周波数利用効率とピークスループットの向上を目的として、複数の周波数帯域（コンポーネントキャリア（ＣＣ：Ｃｏｍｐｏｎｅｎｔ  Ｃａｒｒｉｅｒ））を同時に使用するキャリアアグリゲーション（ＣＡ：Ｃａｒｒｉｅｒ  Ａｇｇｒｅｇａｔｉｏｎ）技術が採用されている（非特許文献１参照。）。
【０００３】
キャリアアグリゲーションの一つの形態であるインターサイト  キャリアアグリゲーション（Ｉｎｔｅｒ−Ｓｉｔｅ  ＣＡ）では、移動端末装置（ＵＥ：Ｕｓｅｒ  Ｅｑｕｉｐｍｅｎｔ）は、異なる場所に設置された複数の基地局装置（ｅＮＢ：Ｅ−ＵＴＲＡＮ  ＮｏｄｅＢ）と同時に接続し、基地局装置毎に異なる周波数帯域（ＣＣ）を使用して通信する。
さらに、基地局装置と移動端末装置との通信において、Ｃ−ＰｌａｎｅとＵ−Ｐｌａｎｅを分離して、それぞれを異なる基地局装置を介して伝送するネットワーク形態（デュアルコネクティビティ：Ｄｕａｌ  Ｃｏｎｎｅｃｔｉｖｉｔｙ）が提案されている（非特許文献２参照。）。
【０００４】
ここで、Ｃ−Ｐｌａｎｅは、移動端末装置の接続管理（ユーザ管理）やモビリティ制御を行うためのプロトコルである。移動端末装置の接続管理に関する情報は、ＭＭＥ（Ｍｏｂｉｌｉｔｙ  Ｍａｎａｇｅｍｅｎｔ  Ｅｎｔｉｔｙ）で保持される。ＭＭＥは、ユーザ管理や、モビリティ制御関連の処理を行う。
Ｕ−Ｐｌａｎｅは、ユーザトラヒックやスケジューリング情報の送受信に関するプロトコルである。基地局装置と移動端末装置で構成されるモバイルネットワークは、Ｓ−ＧＷ（Ｓｅｒｖｉｎｇ−Ｇａｔｅｗａｙ）を介して外部のインターネットと接続される。
【０００５】
デュアルコネクティビティにおいて、Ｃ−Ｐｌａｎｅのデータの送受信を司る基地局装置をＭｅＮＢ（Ｍａｓｔｅｒ  ｅＮＢ）と呼ぶ。ＭｅＮＢは、主に、移動端末装置のカバレッジ確保のために広くエリア展開される。ＭｅＮＢは、Ｕ−Ｐｌａｎｅの送受信も行う。
一方、Ｕ−Ｐｌａｎｅのみを送受信する基地局装置をＳｅＮＢ（Ｓｅｃｏｎｄａｒｙ  ｅＮＢ）と呼ぶ。ＳｅＮＢは、主に、容量拡大のためにスポット的に設置される。
【先行技術文献】
【非特許文献】
【０００６】
【非特許文献１】３ＧＰＰ  ＴＳ３６．３００  ｖ１１．３．０、  “Ｅ−ＵＴＲＡ  ａｎｄ  Ｅ−ＵＴＲＡＮ  ｏｖｅｒａｌｌ  ｄｅｓｃｒｉｐｔｉｏｎ”、  ２０１２−０９．
【非特許文献２】ＮＴＴ  ＤＯＣＯＭＯ  ＩＮＣ．、  “Ｒｅｑｕｉｒｅｍｅｎｔｓ，  Ｃａｎｄｉｄａｔｅ  Ｓｏｌｕｔｉｏｎｓ  ＆  Ｔｅｃｈｎｏｌｏｇｙ  Ｒｏａｄｍａｐ  ｆｏｒ  ＬＴＥ  Ｒｅｌ−１２  Ｏｎｗａｒｄ”、  ３ＧＰＰ  Ｗｏｒｋｓｈｏｐ  ｏｎ  Ｒｅｌｅａｓｅ  １２  ａｎｄ  ｏｎｗａｒｄｓ、  ＲＷＳ−１２００１０、  Ｊｕｎｅ  １１−１２、  ２０１２．
【発明の概要】
【発明が解決しようとする課題】
【０００７】
複数の基地局装置を介してＵ−Ｐｌａｎｅのデータを送信するに際し、ＳｅＮＢを経由してＵ−Ｐｌａｎｅのデータを送信する場合には、まず、すべてのＵ−ＰｌａｎｅのデータをＳ−ＧＷからＭｅＮＢに送信し、次に、ＭｅＮＢにおいてＳｅＮＢを経由するＵ−Ｐｌａｎｅのデータを分離し、その後、分離したＵ−ＰｌａｎｅのデータをＭｅＮＢからＳｅＮＢへバックホール（ｂａｃｋｈａｕｌ）回線を介して送信し、そして、このＵ−ＰｌａｎｅのデータをＳｅＮＢから移動端末装置に送信する、という手順の処理が実行される。
しかしながら、このようなＣ／Ｕ分離（Ｃ−ＰｌａｎｅとＵ−Ｐｌａｎｅとの分離）を用いたＭｅＮＢとＳｅＮＢの同時通信では、ＭｅＮＢとＳｅＮＭとの間のバックホール回線における遅延が大きい場合には、ユーザデータの通信特性が劣化するという課題があった。
【０００８】
本発明は、このような事情を考慮してなされたもので、Ｕ−Ｐｌａｎｅのデータの通信を効率的に行うことができる基地局装置、通信装置、通信システムおよび通信方法を提供することを課題とする。
【課題を解決するための手段】
【０００９】
（１）上記の課題を解決するために、本発明の一態様に係る基地局装置は、端末管理装置から送信される制御信号を受信し、当該制御信号を端末装置に対して送信するように制御する制御信号通信制御部と、通信装置から送信されるデータ信号を受信し、当該データ信号を前記端末装置に対して送信するように制御するデータ通信制御部と、前記通信装置から自装置を経由して前記端末装置へ前記データ信号を送信する通信経路から、前記通信装置から他の基地局装置を経由して前記端末装置へ前記データ信号を送信する通信経路へ切り替えることを、当該他の基地局装置に通知する通信経路制御部と、を備える。
【００１０】
（２）上記の課題を解決するために、本発明の一態様に係る基地局装置は、端末管理装置から送信される制御信号を受信し、当該制御信号を端末装置に対して送信するように制御する制御信号通信制御部と、通信装置から他の基地局装置を経由して前記端末装置へデータ信号を送信する通信経路を確立することを、当該他の基地局装置に通知する通信経路制御部と、を備える。
【００１１】
（３）上記の課題を解決するために、本発明の一態様に係る基地局装置は、端末管理装置から送信されて他の基地局装置を経由する制御信号を受信する端末装置へ通信装置から前記他の基地局装置を経由してデータ信号を送信する通信経路から、前記端末装置へ前記通信装置から自装置を経由してデータ信号を送信する通信経路へ切り替える要求を前記端末管理装置に送信することで、前記端末管理装置を経由させて前記通信装置へ伝える通信経路制御部と、前記通信装置から送信されるデータ信号を受信し、当該データ信号を前記端末装置に対して送信するように制御するデータ通信制御部と、を備える。
【００１２】
（４）上記の課題を解決するために、本発明の一態様に係る基地局装置は、端末管理装置から送信されて他の基地局装置を経由する制御信号を受信する端末装置へ通信装置から前記他の基地局装置を経由してデータ信号を送信する通信経路から、前記端末装置へ前記通信装置から自装置を経由してデータ信号を送信する通信経路へ切り替える要求を前記通信装置に送信する通信経路制御部と、前記通信装置から送信されるデータ信号を受信し、当該データ信号を前記端末装置に対して送信するように制御するデータ通信制御部と、を備える基地局装置。
【００１３】
（５）上記の課題を解決するために、本発明の一態様に係る基地局装置は、端末管理装置から送信されて他の基地局装置を経由する制御信号を受信する端末装置へ通信装置から自装置を経由してデータ信号を送信する通信経路を確立する要求を前記端末管理装置に送信することで、前記端末管理装置を経由させて前記通信装置へ伝える通信経路制御部と、前記通信装置から送信されるデータ信号を受信し、当該データ信号を前記端末装置に対して送信するように制御するデータ通信制御部と、を備える。
【００１４】
（６）上記の課題を解決するために、本発明の一態様に係る基地局装置は、端末管理装置から送信されて他の基地局装置を経由する制御信号を受信する端末装置へ通信装置から自装置を経由してデータ信号を送信する通信経路を確立する要求を前記通信装置に送信する通信経路制御部と、前記通信装置から送信されるデータ信号を受信し、当該データ信号を前記端末装置に対して送信するように制御するデータ通信制御部と、を備える。
【００１５】
（７）上記の課題を解決するために、本発明の一態様に係る基地局装置は、端末管理装置から送信される制御信号を受信し、当該制御信号を端末装置に対して送信するように制御する制御信号通信制御部と、通信装置から送信されるデータ信号を受信し、当該データ信号を前記端末装置に対して送信するように制御するデータ通信制御部と、前記通信装置から自装置を経由して前記端末装置へ前記データ信号を送信する通信経路から、前記通信装置から他の基地局装置を経由して前記端末装置へ前記データ信号を送信する通信経路へ切り替える要求を前記端末管理装置に送信することで、前記端末管理装置を経由させて前記通信装置へ伝える通信経路制御部と、を備える。
【００１６】
（８）上記の課題を解決するために、本発明の一態様に係る基地局装置は、端末管理装置から送信される制御信号を受信し、当該制御信号を端末装置に対して送信するように制御する制御信号通信制御部と、通信装置から送信されるデータ信号を受信し、当該データ信号を前記端末装置に対して送信するように制御するデータ通信制御部と、前記通信装置から自装置を経由して前記端末装置へ前記データ信号を送信する通信経路から、前記通信装置から他の基地局装置を経由して前記端末装置へ前記データ信号を送信する通信経路へ切り替える要求を前記通信装置に送信する通信経路制御部と、を備える。
【００１７】
（９）上記の課題を解決するために、本発明の一態様に係る基地局装置は、端末管理装置から送信される制御信号を受信し、当該制御信号を端末装置に対して送信するように制御する制御信号通信制御部と、通信装置から他の基地局装置を経由して前記端末装置へデータ信号を送信する通信経路を確立する要求を前記端末管理装置に送信することで、前記端末管理装置を経由させて前記通信装置へ伝える通信経路制御部と、を備える。
【００１８】
（１０）上記の課題を解決するために、本発明の一態様に係る基地局装置は、端末管理装置から送信される制御信号を受信し、当該制御信号を端末装置に対して送信するように制御する制御信号通信制御部と、通信装置から他の基地局装置を経由して前記端末装置へデータ信号を送信する通信経路を確立する要求を前記通信装置に送信する通信経路制御部と、を備える。
【００１９】
（１１）本発明の一態様は、上記した（１）から上記した（１０）のいずれか１つに記載の基地局装置において、前記した通信経路の切り替えまたは前記した通信経路の確立は、Ｉｎｔｒａ−ＭＭＥ／Ｓｅｒｖｉｎｇ  Ｇａｔｅｗａｙ  ＨＯの手続きをベースとしたプロトコルを用いて行われる、構成が用いられてもよい。
【００２０】
（１２）上記の課題を解決するために、本発明の一態様に係る通信装置は、端末管理装置から送信されて第１の基地局装置を経由する制御信号を受信する端末装置へ自装置から前記第１の基地局装置を経由してデータ信号を送信する通信経路から、前記端末装置へ自装置から第２の基地局装置を経由してデータ信号を送信する通信経路へ切り替える要求を受信したことに応じて、通信経路を切り替える。
【００２１】
（１３）上記の課題を解決するために、本発明の一態様に係る通信装置は、端末管理装置から送信されて第１の基地局装置を経由する制御信号を受信する端末装置へ自装置から第２の基地局装置を経由してデータ信号を送信する通信経路を確立する要求を受信したことに応じて、通信経路を確立する。
【００２２】
（１４）上記の課題を解決するために、本発明の一態様に係る通信システムは、端末管理装置から送信されて第１の基地局装置を経由する制御信号を受信する端末装置へ通信装置から前記第１の基地局装置を経由してデータ信号を送信する通信経路から、前記端末装置へ前記通信装置から第２の基地局装置を経由してデータ信号を送信する通信経路へ切り替える。
【００２３】
（１５）上記の課題を解決するために、本発明の一態様に係る通信システムは、端末管理装置から送信されて第１の基地局装置を経由する制御信号を受信する端末装置へ通信装置から第２の基地局装置を経由してデータ信号を送信する通信経路を確立する。
【００２４】
（１６）上記の課題を解決するために、本発明の一態様に係る通信方法は、端末管理装置から送信されて第１の基地局装置を経由する制御信号を受信する端末装置へ通信装置から前記第１の基地局装置を経由してデータ信号を送信する通信経路から、前記端末装置へ前記通信装置から第２の基地局装置を経由してデータ信号を送信する通信経路へ切り替える。
【００２５】
（１７）上記の課題を解決するために、本発明の一態様に係る通信方法は、端末管理装置から送信されて第１の基地局装置を経由する制御信号を受信する端末装置へ通信装置から第２の基地局装置を経由してデータ信号を送信する通信経路を確立する。
【発明の効果】
【００２６】
本発明によれば、Ｕ−Ｐｌａｎｅのデータの通信を効率的に行うことができる。
【図面の簡単な説明】
【００２７】
【図１】本発明の一実施形態（第１実施形態〜第２実施形態）に係る通信システムの概略的な構成を示すブロック図である。
【図２】本発明の一実施形態に係るＳｅＮＢの概略的な構成を示すブロック図である。
【図３】本発明の一実施形態に係るＭｅＮＢの概略的な構成を示すブロック図である。
【図４】本発明の一実施形態（第１実施形態）に係る通信システムにおいて行われる処理の手順の一例を示すシーケンス図である。
【図５】本発明の一実施形態（第２実施形態）に係る通信システムにおいて行われる処理の手順の一例を示すシーケンス図である。
【図６】本発明の一実施形態（第３実施形態〜第４実施形態）に係る通信システムの概略的な構成を示すブロック図である。
【図７】本発明の一実施形態（第３実施形態）に係る通信システムにおいて行われる処理の手順の一例を示すシーケンス図である。
【図８】本発明の一実施形態（第４実施形態）に係る通信システムにおいて行われる処理の手順の一例を示すシーケンス図である。
【図９】Ｃ／Ｕ分離を用いたＭｅＮＢとＳｅＮＢの同時通信の一例を示す図である。
【図１０】Ｓ−ＧＷによりＵ−Ｐｌａｎｅのデータを分離する場合におけるＵ−Ｐｌａｎｅのデータの通信の一例を示す図である。
【発明を実施するための形態】
【００２８】
以下、図面を参照し、本発明の実施形態について説明する。
［デュアルコネクティビティ時におけるＵ−Ｐｌａｎｅのデータの通信の説明］
まず、図９および図１０を参照して、デュアルコネクティビティ時におけるＵ−Ｐｌａｎｅのデータの通信について説明する。
従来技術では、図９に示される通信（３Ｃ：ＭｅＮＢ  ｂｅａｒｅｒ  ｓｐｌｉｔｔｉｎｇ）が行われていた。
図９は、Ｃ／Ｕ分離を用いたＭｅＮＢ１０１２とＳｅＮＢ１０１１の同時通信の一例を示す図である。
図９には、ＵＥ１００１と、ＳｅＮＢ１０１１およびその無線の通信領域１１０１と、ＭｅＮＢ１０１２およびその無線の通信領域１１０２と、Ｓ−ＧＷ１００２と、ＭＭＥ１００３と、インターネット（Ｉｎｔｅｒｎｅｔ）１００４を示してある。
Ｃ−Ｐｌａｎｅのデータについては、ＭＭＥ１００３がＭｅＮＢ１０１２にＣ−Ｐｌａｎｅのデータを送信し、ＭｅＮＢ１０１２が当該データをＵＥ１００１に送信する。
Ｕ−Ｐｌａｎｅのデータについては、インターネット１００４からのＵ−ＰｌａｎｅのデータをＳ−ＧＷ１００２がＭｅＮＢ１０１２に送信する。ＭｅＮＢ１０１２は受信したＵ−ＰｌａｎｅのデータのうちでＳｅＮＢ１０１１を経由させるデータを分離してＳｅＮＢ１０１１に送信し、ＳｅＮＢ１０１１が当該データをＵＥ１００１に送信する。また、ＭｅＮＢ１０１２は、受信したＵ−Ｐｌａｎｅのデータのうちで残りのデータ（ＵＥ１００１に直接送信するデータ）をＵＥ１００１に送信する。
【００２９】
このように、図９の例では、Ｕ−Ｐｌａｎｅのデータについて、Ｓ−ＧＷ１００２とＭｅＮＢ１０１２との間では１本のベアラ（Ｂｅａｒｅｒ）が存在し、ＭｅＮＢ１０１２において２本のベアラ（ＭｅＮＢ１０１２とＵＥ１００１との間の１本のベアラ、ＭｅＮＢ１０１２とＳｅＮＢ１０１１との間の１本のベアラ）に分けられる。
【００３０】
一方、本実施形態では、図１０に示される通信（１Ａ：Ｓ−ＧＷ  ｆｌｏｗ  ｓｐｌｉｔｔｉｎｇ）を行う。
図１０は、Ｓ−ＧＷ１００２によりＵ−Ｐｌａｎｅのデータを分離する場合におけるＵ−Ｐｌａｎｅのデータの通信の一例を示す図である。
図１０には、図９と同様に、ＵＥ１００１と、ＳｅＮＢ１０１１およびその無線の通信領域１１０１と、ＭｅＮＢ１０１２およびその無線の通信領域１１０２と、Ｓ−ＧＷ１００２と、ＭＭＥ１００３と、インターネット１００４を示してある。なお、図１０では、各装置等の符号としては、図９に示されるものと同じ符号を付してある。
Ｃ−Ｐｌａｎｅのデータについては、ＭＭＥ１００３がＭｅＮＢ１０１２にＣ−Ｐｌａｎｅのデータを送信し、ＭｅＮＢ１０１２が当該データをＵＥ１００１に送信する。
Ｕ−Ｐｌａｎｅのデータについては、Ｓ−ＧＷ１００２がインターネット１００４からのＵ−ＰｌａｎｅのデータのうちでＳｅＮＢ１０１１を経由させるデータを分離してＳｅＮＢ１０１１に送信し、ＳｅＮＢ１０１１が当該データをＵＥ１００１に送信する。また、Ｓ−ＧＷ１００２は、インターネット１００４からのＵ−Ｐｌａｎｅのデータのうちで残りのデータ（ＭｅＮＢ１０１２を経由させるデータ）をＭｅＮＢ１０１２に送信し、ＭｅＮＢ１０１２が当該データをＵＥ１００１に送信する。
【００３１】
このように、本実施形態では、Ｓ−ＧＷ１００２において、Ｕ−Ｐｌａｎｅのデータについて、ＳｅＮＢ１０１１を経由させるトラヒックを分離し、Ｓ−ＧＷ１００２からＳｅＮＢ１０１１に直接送信する。これにより、Ｃ−ＰｌａｎｅのデータはＭｅＮＢ１０１２を介して送受信され、Ｕ−ＰｌａｎｅのデータはＭｅＮＢ１０１２とＳｅＮＢ１０１１とのいずれか一方、または、両方を介して送受信される。
本実施形態では、図１０に示されるような通信を実現するための通信経路の切り替え（第１実施形態〜第２実施形態）、通信経路の確立（第３実施形態〜第４実施形態）について説明する。
【００３２】
［第１実施形態］
＜通信システムの概要＞
図１は、本発明の一実施形態に係る通信システムの概略的な構成を示すブロック図である。
本実施形態に係る通信システムは、ＵＥ１と、ＳｅＮＢ１１と、ＭｅＮＢ１２と、Ｓ−ＧＷ２と、ＭＭＥ３と、インターネット４を備える。
図１には、ＳｅＮＢ１１の無線の通信領域１０１と、ＭｅＮＢ１２の無線の通信領域１０２を示してある。図１の例では、ＳｅＮＢ１１の無線の通信領域１０１は、ＭｅＮＢ１２の無線の通信領域１０２に含まれる。
【００３３】
本実施形態に係る通信システムでは、Ｓ−ＧＷ２からＵＥ１へのＵ−Ｐｌａｎｅのデータについて、最初にＭｅＮＢ１２を経由する通信経路（Ｓ−ＧＷ２からＭｅＮＢ１２を経由するＵＥ１への経路）を確立し、その後、当該通信経路をＳｅＮＢ１１を経由する通信経路（Ｓ−ＧＷ２からＳｅＮＢ１１を経由するＵＥ１への経路）へ切り替える。本実施形態では、ＳｅＮＢ１１が、このような通信経路の制御を司って行う。
なお、Ｃ−Ｐｌａｎｅのデータについては、ＭＭＥ３からＭｅＮＢ１２を経由してＵＥ１に送信される。
【００３４】
図２は、本発明の一実施形態に係るＳｅＮＢ１１の概略的な構成を示すブロック図である。
本実施形態に係るＳｅＮＢ１１は、通信部２１１と、記憶部２１２と、制御部２１３を備える。
制御部２１３は、通信経路制御部２３１と、データ通信制御部２３２を備える。
【００３５】
通信部２１１は、外部の装置との間で無線や有線で通信する。本実施形態では、通信部２１１は、通信領域１０１に存在するＵＥ１との間で、無線により信号を送受信（送信や受信）する。また、通信部２１１は、有線（または、無線）により、Ｓ−ＧＷ２との間や、ＭｅＮＢ１２との間で、信号を送受信する。例えば、ＳｅＮＢ１１とＭｅＮＢ１２との間は、有線の回線（バックホール回線）で接続される。
記憶部２１２は、メモリを用いて構成されており、各種のデータを記憶する。具体例として、記憶部２１２は、制御部２１３により使用されるプログラムのデータや、各種のパラメータのデータや、通信経路やデータ通信に関する設定内容のデータなどを記憶する。
【００３６】
制御部２１３は、所定のプログラムを実行することで、各種の処理や制御を行う。
通信経路制御部２３１は、Ｕ−Ｐｌａｎｅのデータの通信経路に関する制御を行う。本実施形態では、通信経路制御部２３１は、Ｕ−Ｐｌａｎｅのデータの通信経路に関し、Ｓ−ＧＷ２からＭｅＮＢ１２を経由するＵＥ１への通信経路から、Ｓ−ＧＷ２からＳｅＮＢ１１を経由するＵＥ１への通信経路への切り替えを制御する。
データ通信制御部２３２は、Ｕ−Ｐｌａｎｅのデータの通信を制御する。
【００３７】
図３は、本発明の一実施形態に係るＭｅＮＢ１２の概略的な構成を示すブロック図である。
本実施形態に係るＭｅＮＢ１２は、通信部３１１と、記憶部３１２と、制御部３１３を備える。
制御部３１３は、通信経路制御部３３１と、データ通信制御部３３２と、制御信号通信制御部３３３を備える。
【００３８】
通信部３１１は、外部の装置との間で無線や有線で通信する。本実施形態では、通信部３１１は、通信領域１０２に存在するＵＥ１との間で、無線により信号を送受信（送信や受信）する。また、通信部３１１は、有線（または、無線）により、Ｓ−ＧＷ２との間や、ＳｅＮＢ１１との間で、信号を送受信する。
記憶部３１２は、メモリを用いて構成されており、各種のデータを記憶する。具体例として、記憶部３１２は、制御部３１３により使用されるプログラムのデータや、各種のパラメータのデータや、通信経路やデータ通信に関する設定内容のデータなどを記憶する。
【００３９】
制御部３１３は、所定のプログラムを実行することで、各種の処理や制御を行う。
通信経路制御部３３１は、Ｕ−Ｐｌａｎｅのデータの通信経路に関する制御を行う。本実施形態では、通信経路制御部３３１は、Ｕ−Ｐｌａｎｅのデータの通信経路に関し、Ｓ−ＧＷ２からＭｅＮＢ１２を経由するＵＥ１への通信経路から、Ｓ−ＧＷ２からＳｅＮＢ１１を経由するＵＥ１への通信経路への切り替えを制御する。
データ通信制御部３３２は、Ｕ−Ｐｌａｎｅのデータの通信を制御する。
制御信号通信制御部３３３は、Ｃ−Ｐｌａｎｅのデータの通信を制御する。
【００４０】
＜処理のシーケンスの例＞
図４は、本発明の一実施形態（第１実施形態）に係る通信システムにおいて行われる処理の手順の一例を示すシーケンス図である。
図４は、ＵＥ１と、ＭｅＮＢ１２と、ＳｅＮＢ１１と、ＭＭＥ３と、Ｓ−ＧＷ２について、Ｕ−Ｐｌａｎｅのデータに関して、行われる通信経路の切り替えの制御の手続きの例（手順０：前提）および（手順１）〜（手順２３）を示してある。（手順０：前提）および（手順１）〜（手順２３）は、図４に示される（０）および（１）〜（２３）に対応している。
図４の例では、レイヤ３のシグナリング（Ｌ３  ｓｉｇｎａｌｌｉｎｇ）、レイヤ１／レイヤ２のシグナリング（Ｌ１／Ｌ２  ｓｉｇｎａｌｌｉｎｇ）、ユーザデータ（Ｕｓｅｒ  Ｄａｔａ）の通信を区別して示してある。
【００４１】
なお、図４に示されるシーケンスの例は、非特許文献１におけるＦｉｇｕｒｅ  １０．１．２．１．１−１：Ｉｎｔｒａ−ＭＭＥ／Ｓｅｒｖｉｎｇ  Ｇａｔｅｗａｙ  ＨＯの手続き（詳細は、非特許文献１参照。）をベースとしたプロトコルの一例である。
但し、本実施形態では、ＭｅＮＢ１２を経由してＵＥ１に対してＣ−Ｐｌａｎｅのデータを送信することを継続しつつ、ＭｅＮＢ１２を経由してＵＥ１に対してＵ−Ｐｌａｎｅのデータを送信する通信経路から、ＳｅＮＢ１１を経由してＵＥ１に対してＵ−Ｐｌａｎｅのデータを送信する通信経路へ切り替えるため、ＭｅＮＢ１２とＵＥ１との接続状態を解放せずに、通信経路の切り替えを実行する。
【００４２】
（手順０：前提）
図４の例では、前提として、ＵＥ１とＳ−ＧＷ２との間で、ＭｅＮＢ１２を経由する通信経路が確立されている状態であるとする。この通信経路の状態は、例えば、従来技術と同様な手順で確立される。
この通信経路の状態では、Ｓ−ＧＷ２とＭｅＮＢ１２とが通信し、ＭｅＮＢ１２とＵＥ１とが通信することで、Ｓ−ＧＷ２からＭｅＮＢ１２を経由してＵＥ１へＵ−Ｐｌａｎｅのデータ（図４の例では、パケットデータ（ｐａｃｋｅｔ  ｄａｔａ））を送信する。
以下では、Ｕ−Ｐｌａｎｅのデータの通信経路を切り替える。
【００４３】
（手順１）
ＭｅＮＢ１２は、ＳｅＮＢ１１を経由する通信経路（ベアラ）を確立（セット）することを決定する（ＳｅＮＢ  Ｂｅａｒｅｒ  Ｓｅｔｕｐ  Ｄｅｃｉｓｉｏｎ）。
ここで、ＭｅＮＢ１２は、例えば、あらかじめ定められた条件が満たされたことを判定した場合に、この決定を行う。この条件としては、様々な条件が用いられてもよく、例えば、ＭｅＮＢ１２における通信の負荷が所定の閾値（負荷に関する閾値）を超えたという条件や、ＭｅＮＢ１２とＵＥ１との無線通信の通信特性（例えば、通信品質や通信速度など）が所定の閾値（通信特性に関する閾値）未満となったという条件や、ＭｅＮＢ１２に接続しているＵＥ１の数が過多である（例えば、所定の閾値（端末数に関する閾値）を超える）という条件などが用いられてもよい。
【００４４】
なお、他の構成例として、ＵＥ１がＳｅＮＢ１１を経由する通信経路を確立することを決定して、それを通知する信号をＭｅＮＢ１２に送信し、ＭｅＮＢ１２が当該信号にしたがってＳｅＮＢ１１を経由する通信経路を確立することを決定する、構成が用いられてもよい。この構成では、ＵＥ１は、例えば、あらかじめ定められた条件が満たされたことを判定した場合に、この決定を行う。この条件としては、様々な条件が用いられてもよく、例えば、ＭｅＮＢ１２とＵＥ１との無線通信の通信特性（例えば、通信品質や通信速度など）が所定の閾値（通信特性に関する閾値）未満となったという条件などが用いられてもよい。
【００４５】
（手順２）
ＭｅＮＢ１２は、ＳｅＮＢ１１に対して、ＳｅＮＢ１１を経由する通信経路を確立する要求（リクエスト）の信号を、バックホール回線を介して送信する（Ｂｅａｒｅｒ  Ｓｅｔｕｐ  Ｒｅｑｕｅｓｔ）。
【００４６】
（手順３）
ＳｅＮＢ１１は、ＭｅＮＢ１２から送信された前記した要求の信号を受信すると、当該要求に係る通信経路の確立を許可するか否かを判定する（Ａｄｍｉｓｓｉｏｎ  Ｃｏｎｔｒｏｌ）。本例では、ＳｅＮＢ１１は、当該要求の内容を許可したとする。
なお、ＳｅＮＢ１１は、例えば、あらかじめ定められた条件が満たされた場合には、前記した要求の内容を拒否する、構成が用いられてもよい。この条件としては、様々な条件が用いられてもよく、例えば、ＳｅＮＢ１１を経由する通信の通信特性（例えば、通信品質や通信速度など）が所定の程度未満に劣化する可能性があるときの条件が用いられてもよく、ＳｅＮＢ１１に接続しているＵＥ１の数が過多である（例えば、所定の閾値（端末数に関する閾値）を超える）という条件などが用いられてもよい。
【００４７】
（手順４）
ＳｅＮＢ１１は、前記した要求の内容を許可する場合には、それを通知する信号（例えば、Ａｃｋの信号）を応答として、バックホール回線を介してＭｅＮＢ１２に送信する（Ｂｅａｒｅｒ  Ｓｅｔｕｐ  Ｒｅｑｕｅｓｔ  Ａｃｋ）。
【００４８】
（手順５）
ＭｅＮＢ１２は、ＳｅＮＢ１１から前記した要求の内容を許可する信号を受信すると、ＵＥ１に対して、下りリンク（ダウンリンク：ＤＬ）のリソースの割り当てを行う（ＤＬ  ａｌｌｏｃａｔｉｏｎ）。本例では、ＭｅＮＢ１２は、ＵＥ１に対して、ＳｅＮＢ１１を経由する通信経路を確立するように切り替えることを通知する信号を送信する。
【００４９】
（手順６）
ＭｅＮＢ１２は、ＵＥ１に対して、ＲＲＣ（Ｒａｄｉｏ  Ｒｅｓｏｕｒｃｅ  Ｃｏｎｔｒｏｌ）のメッセージの信号を送信する。ここで、ＵＥ１とＳｅＮＢ１１との間で無線リンクが確立されていない場合には、ＭｅＮＢ１２は、この無線リンクを確立するための情報（Ｍｏｂｉｌｉｔｙ  Ｃｏｎｔｒｏｌ  Ｉｎｆｏｒｍａｔｉｏｎ）を含む信号についても一緒に、ＵＥ１に対して送信する（ＲＲＣ  ｃｏｎｎ．  Ｒｅｃｏｎｆ．  ｉｎｃｌ．  ｍｏｂｉｌｉｔｙ  Ｃｏｎｔｒｏｌ  ｉｎｆｏｒｍａｔｉｏｎ）。
【００５０】
（手順７）
ＵＥ１は、ＭｅＮＢ１２から受信された信号に基づいて、ＳｅＮＢ１１を経由する通信経路を確立するための準備を開始する（Ｓｙｎｃｈｒｏｎｉｚｅ  ｔｏ  ｎｅｗ  ｃｅｌｌ  ａｎｄ  ｐｒｅｐａｒｅ  ｔｏ  ｓｅｔｕｐ  ｂｅａｒｅｒ  ｔｏ  ＳｅＮＢ）。
この時点で、ＵＥ１は、ＳｅＮＢ１１との間で無線リンクを確立していない場合には、ＳｅＮＢ１１との無線リンクを接続する処理を開始する。この処理としては、例えば、上りリンク（アップリンク：ＵＬ）の同期をとる処理や、ＲＡＣＨ（Ｒａｎｄｏｍ  Ａｃｃｅｓｓ  Ｃｈａｎｎｅｌ）処理が用いられる。上りリンクの同期をとる処理としては、新たなセル（本例では、ＳｅＮＢ１１のセル）との同期をとる処理が用いられる。
【００５１】
（手順８）
前記（手順７）と並行して、ＭｅＮＢ１２は、ＳｅＮＢ１１に対して、未送信データ（本例では、ＵＥ１へのＵ−Ｐｌａｎｅの未送信のデータ）をバックホール回線を介して送信（転送）する（Ｄｅｌｉｖｅｒ  ｂｕｆｆｅｒｅｄ  ａｎｄ  ｉｎ  ｔｒａｎｓｉｔ  ｐａｃｋｅｔｓ  ｔｏ  ＳｅＮＢ）。
【００５２】
（手順９）
前記（手順８）の処理に関し、ＭｅＮＢ１２は、ＳｅＮＢ１１に対して、ＳＮ  Ｓｔａｔｕｓ  Ｔｒａｎｓｆｅｒのメッセージの信号を送信する（ＳＮ  Ｓｔａｔｕｓ  Ｔｒａｎｓｆｅｒ）。
【００５３】
（手順１０）
前記（手順８）の処理に関し、ＭｅＮＢ１２は、ＳｅＮＢ１１に対して、データを送信する（Ｄａｔａ  Ｆｏｒｗａｒｄｉｎｇ）。
【００５４】
（手順１１）
ＳｅＮＢ１１は、ＭｅＮＢ１２から受信したデータ（本例では、パケットのデータ）を格納する（Ｂｕｆｆｅｒ  ｐａｃｋｅｔｓ  ｆｒｏｍ  ＭｅＮＢ）。
【００５５】
（手順１２）
前記（手順７）の処理に関し、ＵＥ１は、ＳｅＮＢ１１との間で無線リンクを確立していない場合には、ＳｅＮＢ１１に対して、上りリンクの同期処理を実行する（Ｓｙｎｃｈｒｏｎｉｓａｔｉｏｎ）。
なお、ＵＥ１は、ＳｅＮＢ１１との間で無線リンクを確立している場合には、そのまま無線リンクを保持する。
【００５６】
（手順１３）
ＵＥ１とＳｅＮＢ１１との間の同期が確立している状態において、ＳｅＮＢ１１は、ＵＥ１に対して、上りリンクのリソースの割り当て、およびＴＡ（Ｔｉｍｉｎｇ  Ａｄｖａｎｃｅ）の処理を行う（ＵＬ  ａｌｌｏｃａｔｉｏｎ  ＋  ＴＡ  ｆｏｒ  ＵＥ）。
【００５７】
（手順１４）
ＵＥ１は、ＳｅＮＢ１１に対して、通信経路の設定（本例では、通信経路の切り替え）を完了したことを通知する信号を送信する（ＲＲＣ  Ｃｏｎｎ．  Ｒｅｃｏｎｆ．  Ｃｏｍｐｌｅｔｅ）。
【００５８】
（手順１５）
前記の通信経路の設定により、ＵＥ１とＳｅＮＢ１１との間でデータ（図４の例では、パケットデータ（ｐａｃｋｅｔ  ｄａｔａ））を通信することが可能な状態となる。また、ＳｅＮＢ１１は、必要に応じて、Ｓ−ＧＷ２に対してデータを送信することが可能である。
【００５９】
（手順１６）
ＳｅＮＢ１１は、ＭＭＥ３に対して、通信経路の切り替え（本例では、ＳｅＮＢ１１を経由する通信経路への切り替え）の要求（リクエスト）の信号を送信する（Ｐａｔｈ  Ｓｗｉｔｃｈ  Ｒｅｑｕｅｓｔ）。
【００６０】
（手順１７）
ＭＭＥ３は、ＳｅＮＢ１１から通信経路の切り替えの要求の信号を受信すると、Ｓ−ＧＷ２に対して、Ｓ−ＧＷ２からＭｅＮＢ１２に宛てて送信しているＵ−Ｐｌａｎｅのデータの送信経路（通信経路）を、Ｓ−ＧＷ２からＳｅＮＢ１１に宛てて送信するＵ−Ｐｌａｎｅのデータの送信経路（通信経路）へ切り替えるように、要求（リクエスト）の信号を送信する（Ｍｏｄｉｆｙ  Ｂｅａｒｅｒ  Ｒｅｑｕｅｓｔ）。
【００６１】
（手順１８）
Ｓ−ＧＷ２は、ＭＭＥ３から通信経路の切り替えの要求の信号を受信すると、下り通信の経路に関し、Ｓ−ＧＷ２からＭｅＮＢ１２に宛てて送信しているＵ−Ｐｌａｎｅのデータの送信経路（通信経路）を、Ｓ−ＧＷ２からＳｅＮＢ１１に宛てて送信するＵ−Ｐｌａｎｅのデータの送信経路（通信経路）へ切り替える（Ｓｗｉｔｃｈ  ＤＬ  ｐａｔｈ）。
【００６２】
（手順１９）
Ｓ−ＧＷ２は、エンドマーカー（Ｅｎｄ  Ｍａｒｋｅｒ）の信号をＭｅＮＢ１２に送信する。
【００６３】
（手順２０）
Ｓ−ＧＷ２における通信経路の切り替えにより、Ｓ−ＧＷ２とＳｅＮＢ１１との間でデータ（図４の例では、パケットデータ（ｐａｃｋｅｔ  ｄａｔａ））を通信することが可能な状態となる。
【００６４】
（手順２１）
ＭｅＮＢ１２は、Ｓ−ＧＷ２からエンドマーカーの信号を受信すると、エンドマーカー（Ｅｎｄ  Ｍａｒｋｅｒ）の信号をＳｅＮＢ１１に送信する。
【００６５】
（手順２２）
Ｓ−ＧＷ２は、ＭＭＥ３に対して、通信経路の切り替えが完了したことを通知する信号を送信する（Ｍｏｄｉｆｙ  Ｂｅａｒｅｒ  Ｒｅｓｐｏｎｓｅ）。
【００６６】
（手順２３）
ＭＭＥ３は、Ｓ−ＧＷ２から通信経路の切り替えが完了したことを通知する信号を受信すると、ＳｅＮＢ１１に対して、通信経路の切り替えが完了したことを通知する信号を送信する（Ｐａｔｈ  Ｓｗｉｔｃｈ  Ｒｅｑｕｅｓｔ  Ａｃｋ）。ＳｅＮＢ１１は、この信号を受信する。
【００６７】
以上のように、（手順０：前提）および（手順１）〜（手順２３）により、Ｕ−Ｐｌａｎｅのデータの通信経路が切り替えられる。これにより、ＳｅＮＢ１１による通信経路の制御によって、Ｕ−Ｐｌａｎｅのデータについて、Ｓ−ＧＷ２がＳｅＮＢ１１にデータを送信し、ＳｅＮＢ１１がＵＥ１に当該データを送信する状態へ切り替えられる。
【００６８】
＜図４の例における各機能部の処理の例＞
ここで、ＭｅＮＢ１２では、通信経路制御部３３１は、前記（手順１）〜前記（手順２）においてＳｅＮＢ１１を経由する通信経路を確立することを決定してその要求の信号をＳｅＮＢ１１に送信する処理や、前記（手順４）〜前記（手順６）、前記（手順８）〜前記（手順１０）、前記（手順１９）、前記（手順２１）の処理を実行するように制御する。
また、ＭｅＮＢ１２では、データ通信制御部３３２は、Ｕ−Ｐｌａｎｅのデータについて、Ｓ−ＧＷ２から送信されるデータを受信して、当該データをＵＥ１に送信する処理を実行するように制御する。
また、ＭｅＮＢ１２では、制御信号通信制御部３３３は、Ｃ−Ｐｌａｎｅのデータについて、Ｓ−ＧＷ２から送信されるデータを受信して、当該データをＵＥ１に送信する処理を実行するように制御する。
また、ＳｅＮＢ１１では、通信経路制御部２３１は、前記（手順２）〜前記（手順４）においてＭｅＮＢ１２から送信された要求に係る通信経路の確立を許可するか否かを判定して許可する場合にその旨をＭｅＮＢ１２に通知する処理や、前記（手順９）〜前記（手順１５）の処理や、前記（手順１６）においてＭＭＥ３に対して通信経路の切り替えの要求の信号を送信する処理や、前記（手順２１）の処理や、前記（手順２３）においてＭＭＥ３から通信経路の切り替えが完了したことを通知する信号を受信する処理を実行するように制御する。
また、ＳｅＮＢ１１では、データ通信制御部２３２は、Ｕ−Ｐｌａｎｅのデータについて、Ｓ−ＧＷ２から送信されるデータを受信して、当該データをＵＥ１に送信する処理を実行するように制御する。
【００６９】
＜図４のフローの変形例＞
ここで、図４の例では、前記（手順１６）においてＳｅＮＢ１１がＭＭＥ３に対して通信経路の切り替えの要求の信号を送信し、前記（手順１７）においてＭＭＥ３がＳ−ＧＷ２に対して通信経路の切り替えの要求の信号を送信する構成であるが、他の構成例として、前記（手順１６）の代わりに、ＳｅＮＢ１１は直接Ｓ−ＧＷ２に対して通信経路の切り替えの要求の信号を送信する構成が用いられてもよい。この他の構成例では、前記（手順１７）、前記（手順２２）〜前記（手順２３）は設けられず、前記（手順２３）の代わりに、Ｓ−ＧＷ２が直接ＳｅＮＢ１１に通信経路の切り替えが完了したことを通知する信号を送信する。
このような他の構成例において、ＳｅＮＢ１１では、通信経路制御部２３１は、Ｓ−ＧＷ２に対して通信経路の切り替えの要求の信号を送信する処理や、Ｓ−ＧＷ２から通信経路の切り替えが完了したことを通知する信号を受信する処理を実行するように制御する。
【００７０】
＜第１実施形態のまとめ＞
以上のように、本実施形態に係る通信システムでは、ＵＥ１が複数の基地局装置（本実施形態では、ＭｅＮＢ１２とＳｅＮＢ１１）に同時に接続して通信すること（デュアルコネクティビティ）が可能な無線通信システムにおいて、インターネット４と接続するＳ−ＧＷ２においてユーザトラヒックの通信経路（本実施形態では、Ｕ−Ｐｌａｎｅのデータの通信経路）を基地局装置間（本実施形態では、ＭｅＮＢ１２経由と、ＳｅＮＢ１１経由）で切り替える。これにより、本実施形態に係る通信システムでは、例えば、基地局装置間のバックホール回線の制約（本実施形態では、ＭｅＮＢ１２とＳｅＮＢ１１との間のバックホール回線の遅延特性などの制限）を受けることなく、複数の基地局装置を介したユーザトラヒックの送信が可能となる。このように、本実施形態に係る通信システムでは、制御信号（本実施形態では、Ｃ−Ｐｌａｎｅのデータの信号）の通信を行いつつ、データ信号（本実施形態では、Ｕ−Ｐｌａｎｅのデータの信号）の通信を効率的に行うことができる。
【００７１】
［第２実施形態］
＜通信システムの概要＞
本実施形態に係る通信システムの概略的な構成は、第１実施形態に係る図１に示される通信システムと同様である。
また、本実施形態に係るＳｅＮＢの概略的な構成は、第１実施形態に係る図２に示されるＳｅＮＢ１１と同様である。
また、本実施形態に係るＭｅＮＢの概略的な構成は、第１実施形態に係る図３に示されるＭｅＮＢ１２と同様である。
以下では、第１実施形態に係る図１〜図３において各装置等に使用した符号と同じ符号を用いて説明する。
【００７２】
本実施形態に係る通信システムでは、Ｓ−ＧＷ２からＵＥ１へのＵ−Ｐｌａｎｅのデータについて、最初にＭｅＮＢ１２を経由する通信経路（Ｓ−ＧＷ２からＭｅＮＢ１２を経由するＵＥ１への経路）を確立し、その後、当該通信経路をＳｅＮＢ１１を経由する通信経路（Ｓ−ＧＷ２からＳｅＮＢ１１を経由するＵＥ１への経路）へ切り替える。本実施形態では、ＭｅＮＢ１２が、このような通信経路の制御を司って行う。
なお、Ｃ−Ｐｌａｎｅのデータについては、ＭＭＥ３からＭｅＮＢ１２を経由してＵＥ１に送信される。
【００７３】
＜処理のシーケンスの例＞
図５は、本発明の一実施形態（第２実施形態）に係る通信システムにおいて行われる処理の手順の一例を示すシーケンス図である。
図５は、ＵＥ１と、ＭｅＮＢ１２と、ＳｅＮＢ１１と、ＭＭＥ３と、Ｓ−ＧＷ２について、Ｕ−Ｐｌａｎｅのデータに関して、行われる通信経路の切り替えの制御の手続きの例（手順１００：前提）および（手順１０１）〜（手順１２４）を示してある。（手順１００：前提）および（手順１０１）〜（手順１２４）は、図５に示される（１００）および（１０１）〜（１２４）に対応している。
図５の例では、レイヤ３のシグナリング（Ｌ３  ｓｉｇｎａｌｌｉｎｇ）、レイヤ１／レイヤ２のシグナリング（Ｌ１／Ｌ２  ｓｉｇｎａｌｌｉｎｇ）、ユーザデータ（Ｕｓｅｒ  Ｄａｔａ）の通信を区別して示してある。
【００７４】
図５に示されるシーケンスの例は、第１実施形態に係る図４に示されるシーケンスの例と比べて、第１実施形態ではＳｅＮＢ１１のノードが通信経路の制御を司って行う構成であるのに対して、第２実施形態ではＭｅＮＢ１２のノードが通信経路の制御を司って行う構成である点で異なり、他の点では同様である。
このため、以下では、主に、第１実施形態とは異なる点について説明する。
【００７５】
図５に示される（手順１００：前提）および（手順１０１）〜（手順１１２）は、第１実施形態に係る図４に示される（手順０：前提）および（手順１）〜（手順１２）と同様である。
以下で、図５に示される（手順１１３）〜（手順１２４）について説明する。
【００７６】
（手順１１３）
ＵＥ１とＳｅＮＢ１１との間の同期が確立している状態において、ＳｅＮＢ１１は、ＵＥ１に対して、ＴＡの処理を行う（ＴＡ  ｆｏｒ  ＵＥ）。
【００７７】
（手順１１４）
ＭｅＮＢ１２は、ＵＥ１に対して、上りリンクのリソースの割り当てを行う（ＵＬ  ａｌｌｏｃａｔｉｏｎ）。
【００７８】
（手順１１５）
ＵＥ１は、ＭｅＮＢ１２に対して、通信経路の設定（本例では、通信経路の切り替え）を完了したことを通知する信号を送信する（ＲＲＣ  Ｃｏｎｎ．  Ｒｅｃｏｎｆ．  Ｃｏｍｐｌｅｔｅ）。
【００７９】
（手順１１６）
前記の通信経路の設定により、ＵＥ１とＳｅＮＢ１１との間でデータ（図５の例では、パケットデータ（ｐａｃｋｅｔ  ｄａｔａ））を通信することが可能な状態となる。また、ＳｅＮＢ１１は、必要に応じて、Ｓ−ＧＷ２に対してデータを送信することが可能である。
【００８０】
（手順１１７）
ＭｅＮＢ１２は、ＭＭＥ３に対して、通信経路の切り替え（本例では、ＳｅＮＢ１１を経由する通信経路への切り替え）の要求（リクエスト）の信号を送信する（Ｐａｔｈ  Ｓｗｉｔｃｈ  Ｒｅｑｕｅｓｔ）。
【００８１】
（手順１１８）
ＭＭＥ３は、ＭｅＮＢ１２から通信経路の切り替えの要求の信号を受信すると、Ｓ−ＧＷ２に対して、Ｓ−ＧＷ２からＭｅＮＢ１２に宛てて送信しているＵ−Ｐｌａｎｅのデータの送信経路（通信経路）を、Ｓ−ＧＷ２からＳｅＮＢ１１に宛てて送信するＵ−Ｐｌａｎｅのデータの送信経路（通信経路）へ切り替えるように、要求（リクエスト）の信号を送信する（Ｍｏｄｉｆｙ  Ｂｅａｒｅｒ  Ｒｅｑｕｅｓｔ）。
【００８２】
（手順１１９）
Ｓ−ＧＷ２は、ＭＭＥ３から通信経路の切り替えの要求の信号を受信すると、下り通信の経路に関し、Ｓ−ＧＷ２からＭｅＮＢ１２に宛てて送信しているＵ−Ｐｌａｎｅのデータの送信経路（通信経路）を、Ｓ−ＧＷ２からＳｅＮＢ１１に宛てて送信するＵ−Ｐｌａｎｅのデータの送信経路（通信経路）へ切り替える（Ｓｗｉｔｃｈ  ＤＬ  ｐａｔｈ）。
【００８３】
（手順１２０）
Ｓ−ＧＷ２は、エンドマーカー（Ｅｎｄ  Ｍａｒｋｅｒ）の信号をＭｅＮＢ１２に送信する。
【００８４】
（手順１２１）
Ｓ−ＧＷ２における通信経路の切り替えにより、Ｓ−ＧＷ２とＳｅＮＢ１１との間でデータ（図５の例では、パケットデータ（ｐａｃｋｅｔ  ｄａｔａ））を通信することが可能な状態となる。
【００８５】
（手順１２２）
ＭｅＮＢ１２は、Ｓ−ＧＷ２からエンドマーカーの信号を受信すると、エンドマーカー（Ｅｎｄ  Ｍａｒｋｅｒ）の信号をＳｅＮＢ１１に送信する。
【００８６】
（手順１２３）
Ｓ−ＧＷ２は、ＭＭＥ３に対して、通信経路の切り替えが完了したことを通知する信号を送信する（Ｍｏｄｉｆｙ  Ｂｅａｒｅｒ  Ｒｅｓｐｏｎｓｅ）。
【００８７】
（手順１２４）
ＭＭＥ３は、Ｓ−ＧＷ２から通信経路の切り替えが完了したことを通知する信号を受信すると、ＭｅＮＢ１２に対して、通信経路の切り替えが完了したことを通知する信号を送信する（Ｐａｔｈ  Ｓｗｉｔｃｈ  Ｒｅｑｕｅｓｔ  Ａｃｋ）。ＭｅＮＢ１２は、この信号を受信する。
【００８８】
以上のように、（手順１００：前提）および（手順１０１）〜（手順１２４）により、Ｕ−Ｐｌａｎｅのデータの通信経路が切り替えられる。これにより、ＭｅＮＢ１２による通信経路の制御によって、Ｕ−Ｐｌａｎｅのデータについて、Ｓ−ＧＷ２がＳｅＮＢ１１にデータを送信し、ＳｅＮＢ１１がＵＥ１に当該データを送信する状態へ切り替えられる。
【００８９】
＜図５の例における各機能部の処理の例＞
ここで、ＭｅＮＢ１２では、通信経路制御部３３１は、前記（手順１０１）〜前記（手順１０２）においてＳｅＮＢ１１を経由する通信経路を確立することを決定してその要求の信号をＳｅＮＢ１１に送信する処理や、前記（手順１０４）〜前記（手順１０６）、前記（手順１０８）〜前記（手順１１０）、前記（手順１１４）、前記（手順１１５）の処理や、前記（手順１１７）においてＭＭＥ３に対して通信経路の切り替えの要求の信号を送信する処理や、前記（手順１２０）、前記（手順１２２）の処理や、前記（手順１２４）においてＭＭＥ３から通信経路の切り替えが完了したことを通知する信号を受信する処理を実行するように制御する。
また、ＭｅＮＢ１２では、データ通信制御部３３２は、Ｕ−Ｐｌａｎｅのデータについて、Ｓ−ＧＷ２から送信されるデータを受信して、当該データをＵＥ１に送信する処理を実行するように制御する。
また、ＭｅＮＢ１２では、制御信号通信制御部３３３は、Ｃ−Ｐｌａｎｅのデータについて、Ｓ−ＧＷ２から送信されるデータを受信して、当該データをＵＥ１に送信する処理を実行するように制御する。
また、ＳｅＮＢ１１では、通信経路制御部２３１は、前記（手順１０２）〜前記（手順１０４）においてＭｅＮＢ１２から送信された要求に係る通信経路の確立を許可するか否かを判定して許可する場合にその旨をＭｅＮＢ１２に通知する処理や、前記（手順１０９）〜前記（手順１１３）の処理や、前記（手順１１６）、前記（手順１２１）〜前記（手順１２２）の処理を実行するように制御する。
また、ＳｅＮＢ１１では、データ通信制御部２３２は、Ｕ−Ｐｌａｎｅのデータについて、Ｓ−ＧＷ２から送信されるデータを受信して、当該データをＵＥ１に送信する処理を実行するように制御する。
【００９０】
＜図５のフローの変形例＞
ここで、図５の例では、前記（手順１１７）においてＭｅＮＢ１２がＭＭＥ３に対して通信経路の切り替えの要求の信号を送信し、前記（手順１１８）においてＭＭＥ３がＳ−ＧＷ２に対して通信経路の切り替えの要求の信号を送信する構成であるが、他の構成例として、前記（手順１１７）の代わりに、ＭｅＮＢ１２は直接Ｓ−ＧＷ２に対して通信経路の切り替えの要求の信号を送信する構成が用いられてもよい。この他の構成例では、前記（手順１１８）、前記（手順１２３）〜前記（手順１２４）は設けられず、前記（手順１２４）の代わりに、Ｓ−ＧＷ２が直接ＭｅＮＢ１２に通信経路の切り替えが完了したことを通知する信号を送信する。
このような他の構成例において、ＭｅＮＢ１２では、通信経路制御部３３１は、Ｓ−ＧＷ２に対して通信経路の切り替えの要求の信号を送信する処理や、Ｓ−ＧＷ２から通信経路の切り替えが完了したことを通知する信号を受信する処理を実行するように制御する。
【００９１】
＜第２実施形態のまとめ＞
以上のように、本実施形態に係る通信システムにおいても、第１実施形態と同様な効果を得ることができる。
【００９２】
［第３実施形態］
＜通信システムの概要＞
図６は、本発明の一実施形態に係る通信システムの概略的な構成を示すブロック図である。
本実施形態に係る通信システムの概略的な構成は、第１実施形態に係る図１に示される通信システムと同様である。
また、本実施形態に係るＳｅＮＢの概略的な構成は、第１実施形態に係る図２に示されるＳｅＮＢ１１と同様である。
また、本実施形態に係るＭｅＮＢの概略的な構成は、第１実施形態に係る図３に示されるＭｅＮＢ１２と同様である。
以下では、第１実施形態に係る図１〜図３において各装置等に使用した符号と同じ符号を用いて説明する。
【００９３】
図６に示されるように、本実施形態に係る通信システムは、ＵＥ１と、ＳｅＮＢ１１と、ＭｅＮＢ１２と、Ｓ−ＧＷ２と、ＭＭＥ３と、インターネット４を備える。
図６には、ＳｅＮＢ１１の無線の通信領域１０１と、ＭｅＮＢ１２の無線の通信領域１０２を示してある。図６の例では、ＳｅＮＢ１１の無線の通信領域１０１は、ＭｅＮＢ１２の無線の通信領域１０２に含まれる。
【００９４】
本実施形態に係る通信システムでは、Ｓ−ＧＷ２からＵＥ１へのＵ−Ｐｌａｎｅのデータについて、最初から、ＳｅＮＢ１１を経由する通信経路（Ｓ−ＧＷ２からＳｅＮＢ１１を経由するＵＥ１への経路）を確立する。本実施形態では、ＳｅＮＢ１１が、このような通信経路の制御を司って行う。
なお、Ｃ−Ｐｌａｎｅのデータについては、ＭＭＥ３からＭｅＮＢ１２を経由してＵＥ１に送信される。
【００９５】
＜処理のシーケンスの例＞
図７は、本発明の一実施形態（第３実施形態）に係る通信システムにおいて行われる処理の手順の一例を示すシーケンス図である。
図７は、ＵＥ１と、ＭｅＮＢ１２と、ＳｅＮＢ１１と、ＭＭＥ３と、Ｓ−ＧＷ２について、Ｕ−Ｐｌａｎｅのデータに関して、行われる通信経路の確立の制御の手続きの例（手順２０１）〜（手順２１７）を示してある。（手順２０１）〜（手順２１７）は、図７に示される（２０１）〜（２１７）に対応している。
図７の例では、レイヤ３のシグナリング（Ｌ３  ｓｉｇｎａｌｌｉｎｇ）、レイヤ１／レイヤ２のシグナリング（Ｌ１／Ｌ２  ｓｉｇｎａｌｌｉｎｇ）、ユーザデータ（Ｕｓｅｒ  Ｄａｔａ）の通信を区別して示してある。
【００９６】
なお、図７に示されるシーケンスの例は、非特許文献１におけるＦｉｇｕｒｅ  １０．１．２．１．１−１：Ｉｎｔｒａ−ＭＭＥ／Ｓｅｒｖｉｎｇ  Ｇａｔｅｗａｙ  ＨＯの手続き（詳細は、非特許文献１参照。）をベースとしたプロトコルの一例である。
但し、本実施形態では、ＭｅＮＢ１２を経由してＵＥ１に対してＣ−Ｐｌａｎｅのデータを送信することを継続しつつ、ＳｅＮＢ１１を経由してＵＥ１に対してＵ−Ｐｌａｎｅのデータを送信する通信経路を確立するため、ＭｅＮＢ１２とＵＥ１との接続状態を解放せずに、通信経路の確立を実行する。
【００９７】
図７に示されるシーケンスの例は、第１実施形態に係る図４に示されるシーケンスの例と比べて、第１実施形態ではＭｅＮＢ１２を経由する通信経路をＳｅＮＢ１１を経由する通信経路へ切り替える構成であるのに対して、第３実施形態ではＳｅＮＢ１１を経由する通信経路を新たに確立する構成である点で異なり、他の点では同様である。
このため、以下では、主に、第１実施形態とは異なる点について説明する。
【００９８】
（前提）
図７の例では、前提として、ＵＥ１とＳ−ＧＷ２との間で、通信経路（ＭｅＮＢ１２を経由する通信経路およびＳｅＮＢ１１を経由する通信経路）が確立されていない状態であるとする。なお、このような通信経路が確立されている場合に、図７に示される処理のシーケンスを行うことも可能である。
【００９９】
図７に示される（手順２０１）〜（手順２０５）は、第１実施形態に係る図４に示される（手順１）〜（手順５）と同様である。
【０１００】
（手順２０６）
ＭｅＮＢ１２は、ＵＥ１に対して、ＲＲＣのメッセージの信号を送信する（ＲＲＣ  Ｃｏｎｎ．  Ｒｅｃｏｎｆ．）。
【０１０１】
図７に示される（手順２０７）は、第１実施形態に係る図４に示される（手順７）と同様である。なお、本実施形態では、第１実施形態で行われる未送信データの処理は行われない。
図７に示される（手順２０８）〜（手順２１１）は、第１実施形態に係る図４に示される（手順１２）〜（手順１５）と同様である。なお、本例では、（手順２１０）は前記（手順２０６）に対応する通信経路の設定の通知となる。
【０１０２】
（手順２１２）
ＳｅＮＢ１１は、ＭＭＥ３に対して、通信経路の確立（本例では、ＳｅＮＢ１１を経由する通信経路の確立）の要求（リクエスト）の信号を送信する（Ｐａｔｈ  Ｓｅｔｕｐ  Ｒｅｑｕｅｓｔ）。
【０１０３】
（手順２１３）
ＭＭＥ３は、ＳｅＮＢ１１から通信経路の確立の要求の信号を受信すると、Ｓ−ＧＷ２に対して、Ｓ−ＧＷ２からＳｅＮＢ１１に宛てて送信するＵ−Ｐｌａｎｅのデータの送信経路（通信経路）を確立するように、要求（リクエスト）の信号を送信する（Ｓｅｔｕｐ  Ｂｅａｒｅｒ  Ｒｅｑｕｅｓｔ）。
【０１０４】
（手順２１４）
Ｓ−ＧＷ２は、ＭＭＥ３から通信経路の確立の要求の信号を受信すると、下り通信の経路に関し、Ｓ−ＧＷ２からＳｅＮＢ１１に宛てて送信するＵ−Ｐｌａｎｅのデータの送信経路（通信経路）を確立する（Ｓｅｔｕｐ  ＤＬ  ｐａｔｈ）。
【０１０５】
（手順２１５）
Ｓ−ＧＷ２における通信経路の確立により、Ｓ−ＧＷ２とＳｅＮＢ１１との間でデータ（図７の例では、パケットデータ（ｐａｃｋｅｔ  ｄａｔａ））を通信することが可能な状態となる。
【０１０６】
（手順２１６）
Ｓ−ＧＷ２は、ＭＭＥ３に対して、通信経路の確立が完了したことを通知する信号を送信する（Ｓｅｔｕｐ  Ｂｅａｒｅｒ  Ｒｅｓｐｏｎｓｅ）。
【０１０７】
（手順２１７）
ＭＭＥ３は、Ｓ−ＧＷ２から通信経路の確立が完了したことを通知する信号を受信すると、ＳｅＮＢ１１に対して、通信経路の確立が完了したことを通知する信号を送信する（Ｐａｔｈ  Ｓｅｔｕｐ  Ｒｅｑｕｅｓｔ  Ａｃｋ）。ＳｅＮＢ１１は、この信号を受信する。
【０１０８】
以上のように、（手順２０１）〜（手順２１７）により、Ｕ−Ｐｌａｎｅのデータの通信経路が確立される。これにより、ＳｅＮＢ１１による通信経路の制御によって、Ｕ−Ｐｌａｎｅのデータについて、Ｓ−ＧＷ２がＳｅＮＢ１１にデータを送信し、ＳｅＮＢ１１がＵＥ１に当該データを送信する状態が確立される。
【０１０９】
＜図７の例における各機能部の処理の例＞
ここで、ＭｅＮＢ１２では、通信経路制御部３３１は、前記（手順２０１）〜前記（手順２０２）においてＳｅＮＢ１１を経由する通信経路を確立することを決定してその要求の信号をＳｅＮＢ１１に送信する処理や、前記（手順２０５）〜前記（手順２０６）の処理を実行するように制御する。
また、ＭｅＮＢ１２では、制御信号通信制御部３３３は、Ｃ−Ｐｌａｎｅのデータについて、Ｓ−ＧＷ２から送信されるデータを受信して、当該データをＵＥ１に送信する処理を実行するように制御する。
また、ＳｅＮＢ１１では、通信経路制御部２３１は、前記（手順２０２）〜前記（手順２０４）においてＭｅＮＢ１２から送信された要求に係る通信経路の確立を許可するか否かを判定して許可する場合にその旨をＭｅＮＢ１２に通知する処理や、前記（手順２０８）〜前記（手順２１１）の処理や、前記（手順２１２）においてＭＭＥ３に対して通信経路の確立の要求の信号を送信する処理や、前記（手順２１５）の処理や、前記（手順２１７）においてＭＭＥ３から通信経路の確立が完了したことを通知する信号を受信する処理を実行するように制御する。
また、ＳｅＮＢ１１では、データ通信制御部２３２は、Ｕ−Ｐｌａｎｅのデータについて、Ｓ−ＧＷ２から送信されるデータを受信して、当該データをＵＥ１に送信する処理を実行するように制御する。
【０１１０】
＜図７のフローの変形例＞
ここで、図７の例では、前記（手順２１２）においてＳｅＮＢ１１がＭＭＥ３に対して通信経路の確立の要求の信号を送信し、前記（手順２１３）においてＭＭＥ３がＳ−ＧＷ２に対して通信経路の確立の要求の信号を送信する構成であるが、他の構成例として、前記（手順２１２）の代わりに、ＳｅＮＢ１１は直接Ｓ−ＧＷ２に対して通信経路の確立の要求の信号を送信する構成が用いられてもよい。この他の構成例では、前記（手順２１３）、前記（手順２１６）〜前記（手順２１７）は設けられず、前記（手順２１７）の代わりに、Ｓ−ＧＷ２が直接ＳｅＮＢ１１に通信経路の確立が完了したことを通知する信号を送信する。
このような他の構成例において、ＳｅＮＢ１１では、通信経路制御部２３１は、Ｓ−ＧＷ２に対して通信経路の確立の要求の信号を送信する処理や、Ｓ−ＧＷ２から通信経路の確立が完了したことを通知する信号を受信する処理を実行するように制御する。
【０１１１】
＜第３実施形態のまとめ＞
以上のように、本実施形態に係る通信システムでは、ＵＥ１が複数の基地局装置（本実施形態では、ＭｅＮＢ１２とＳｅＮＢ１１）に同時に接続して通信すること（デュアルコネクティビティ）が可能な無線通信システムにおいて、インターネット４と接続するＳ−ＧＷ２においてユーザトラヒックの通信経路（本実施形態では、Ｕ−Ｐｌａｎｅのデータの通信経路）としてＳｅＮＢ１１経由の通信経路を確立する。これにより、本実施形態に係る通信システムでは、例えば、基地局装置間のバックホール回線の制約（本実施形態では、ＭｅＮＢ１２とＳｅＮＢ１１との間のバックホール回線の遅延特性などの制限）を受けることなく、複数の基地局装置を介したユーザトラヒックの送信が可能となる。このように、本実施形態に係る通信システムでは、制御信号（本実施形態では、Ｃ−Ｐｌａｎｅのデータの信号）の通信を行いつつ、データ信号（本実施形態では、Ｕ−Ｐｌａｎｅのデータの信号）の通信を効率的に行うことができる。
【０１１２】
［第４実施形態］
＜通信システムの概要＞
本実施形態に係る通信システムの概略的な構成は、第３実施形態に係る図６（第１実施形態に係る図１も同様）に示される通信システムと同様である。
また、本実施形態に係るＳｅＮＢの概略的な構成は、第３実施形態（第１実施形態も同様）に係る図２に示されるＳｅＮＢ１１と同様である。
また、本実施形態に係るＭｅＮＢの概略的な構成は、第３実施形態（第１実施形態も同様）に係る図３に示されるＭｅＮＢ１２と同様である。
以下では、第３実施形態に係る図６、図２〜図３において各装置等に使用した符号と同じ符号を用いて説明する。
【０１１３】
本実施形態に係る通信システムでは、Ｓ−ＧＷ２からＵＥ１へのＵ−Ｐｌａｎｅのデータについて、最初から、ＳｅＮＢ１１を経由する通信経路（Ｓ−ＧＷ２からＳｅＮＢ１１を経由するＵＥ１への経路）を確立する。本実施形態では、ＭｅＮＢ１２が、このような通信経路の制御を司って行う。
なお、Ｃ−Ｐｌａｎｅのデータについては、ＭＭＥ３からＭｅＮＢ１２を経由してＵＥ１に送信される。
【０１１４】
＜処理のシーケンスの例＞
図８は、本発明の一実施形態（第４実施形態）に係る通信システムにおいて行われる処理の手順の一例を示すシーケンス図である。
図８は、ＵＥ１と、ＭｅＮＢ１２と、ＳｅＮＢ１１と、ＭＭＥ３と、Ｓ−ＧＷ２について、Ｕ−Ｐｌａｎｅのデータに関して、行われる通信経路の確立の制御の手続きの例（手順３０１）〜（手順３１８）を示してある。（手順３０１）〜（手順３１８）は、図８に示される（３０１）〜（３１８）に対応している。
図８の例では、レイヤ３のシグナリング（Ｌ３  ｓｉｇｎａｌｌｉｎｇ）、レイヤ１／レイヤ２のシグナリング（Ｌ１／Ｌ２  ｓｉｇｎａｌｌｉｎｇ）、ユーザデータ（Ｕｓｅｒ  Ｄａｔａ）の通信を区別して示してある。
【０１１５】
図８に示されるシーケンスの例は、第３実施形態に係る図７に示されるシーケンスの例と比べて、第３実施形態ではＳｅＮＢ１１のノードが通信経路の制御を司って行う構成であるのに対して、第４実施形態ではＭｅＮＢ１２のノードが通信経路の制御を司って行う構成である点で異なり、他の点では同様である。
このため、以下では、主に、第３実施形態とは異なる点について説明する。
【０１１６】
図８に示される（手順３０１）〜（手順３０８）は、第３実施形態に係る図７に示される（手順２０１）〜（手順２０８）と同様である。
以下で、図８に示される（手順３０９）〜（手順３１８）について説明する。
【０１１７】
（手順３０９）
ＵＥ１とＳｅＮＢ１１との間の同期が確立している状態において、ＳｅＮＢ１１は、ＵＥ１に対して、ＴＡの処理を行う（ＴＡ  ｆｏｒ  ＵＥ）。
【０１１８】
（手順３１０）
ＭｅＮＢ１２は、ＵＥ１に対して、上りリンクのリソースの割り当てを行う（ＵＬ  ａｌｌｏｃａｔｉｏｎ）。
【０１１９】
（手順３１１）
ＵＥ１は、ＭｅＮＢ１２に対して、通信経路の設定を完了したことを通知する信号を送信する（ＲＲＣ  Ｃｏｎｎ．  Ｒｅｃｏｎｆ．  Ｃｏｍｐｌｅｔｅ）。
【０１２０】
（手順３１２）
前記の通信経路の設定により、ＵＥ１とＳｅＮＢ１１との間でデータ（図８の例では、パケットデータ（ｐａｃｋｅｔ  ｄａｔａ））を通信することが可能な状態となる。また、ＳｅＮＢ１１は、必要に応じて、Ｓ−ＧＷ２に対してデータを送信することが可能である。
【０１２１】
（手順３１３）
ＭｅＮＢ１２は、ＭＭＥ３に対して、通信経路の確立（本例では、ＳｅＮＢ１１を経由する通信経路の確立）の要求（リクエスト）の信号を送信する（Ｐａｔｈ  Ｓｅｔｕｐ  Ｒｅｑｕｅｓｔ）。
【０１２２】
（手順３１４）
ＭＭＥ３は、ＭｅＮＢ１２から通信経路の確立の要求の信号を受信すると、Ｓ−ＧＷ２に対して、Ｓ−ＧＷ２からＳｅＮＢ１１に宛てて送信するＵ−Ｐｌａｎｅのデータの送信経路（通信経路）を確立するように、要求（リクエスト）の信号を送信する（Ｓｅｔｕｐ  Ｂｅａｒｅｒ  Ｒｅｑｕｅｓｔ）。
【０１２３】
（手順３１５）
Ｓ−ＧＷ２は、ＭＭＥ３から通信経路の確立の要求の信号を受信すると、下り通信の経路に関し、Ｓ−ＧＷ２からＳｅＮＢ１１に宛てて送信するＵ−Ｐｌａｎｅのデータの送信経路（通信経路）を確立する（Ｓｅｔｕｐ  ＤＬ  ｐａｔｈ）。
【０１２４】
（手順３１６）
Ｓ−ＧＷ２における通信経路の確立により、Ｓ−ＧＷ２とＳｅＮＢ１１との間でデータ（図８の例では、パケットデータ（ｐａｃｋｅｔ  ｄａｔａ））を通信することが可能な状態となる。
【０１２５】
（手順３１７）
Ｓ−ＧＷ２は、ＭＭＥ３に対して、通信経路の確立が完了したことを通知する信号を送信する（Ｓｅｔｕｐ  Ｂｅａｒｅｒ  Ｒｅｓｐｏｎｓｅ）。
【０１２６】
（手順３１８）
ＭＭＥ３は、Ｓ−ＧＷ２から通信経路の確立が完了したことを通知する信号を受信すると、ＭｅＮＢ１２に対して、通信経路の確立が完了したことを通知する信号を送信する（Ｐａｔｈ  Ｓｅｔｕｐ  Ｒｅｑｕｅｓｔ  Ａｃｋ）。ＳｅＮＢ１１は、この信号を受信する。
【０１２７】
以上のように、（手順３０１）〜（手順３１８）により、Ｕ−Ｐｌａｎｅのデータの通信経路が確立される。これにより、ＭｅＮＢ１２による通信経路の制御によって、Ｕ−Ｐｌａｎｅのデータについて、Ｓ−ＧＷ２がＳｅＮＢ１１にデータを送信し、ＳｅＮＢ１１がＵＥ１に当該データを送信する状態が確立される。
【０１２８】
＜図８の例における各機能部の処理の例＞
ここで、ＭｅＮＢ１２では、通信経路制御部３３１は、前記（手順３０１）〜前記（手順３０２）においてＳｅＮＢ１１を経由する通信経路を確立することを決定してその要求の信号をＳｅＮＢ１１に送信する処理や、前記（手順３０４）〜前記（手順３０６）、前記（手順３１０）〜前記（手順３１１）の処理や、前記（手順３１３）においてＭＭＥ３に対して通信経路の確立の要求の信号を送信する処理や、前記（手順３１８）においてＭＭＥ３から通信経路の確立が完了したことを通知する信号を受信する処理を実行するように制御する。
また、ＭｅＮＢ１２では、制御信号通信制御部３３３は、Ｃ−Ｐｌａｎｅのデータについて、Ｓ−ＧＷ２から送信されるデータを受信して、当該データをＵＥ１に送信する処理を実行するように制御する。
また、ＳｅＮＢ１１では、通信経路制御部２３１は、前記（手順３０２）〜前記（手順３０４）においてＭｅＮＢ１２から送信された要求に係る通信経路の確立を許可するか否かを判定して許可する場合にその旨をＭｅＮＢ１２に通知する処理や、前記（手順３０８）〜前記（手順３０９）、前記（手順３１２）、前記（手順３１６）の処理を実行するように制御する。
また、ＳｅＮＢ１１では、データ通信制御部２３２は、Ｕ−Ｐｌａｎｅのデータについて、Ｓ−ＧＷ２から送信されるデータを受信して、当該データをＵＥ１に送信する処理を実行するように制御する。
【０１２９】
＜図８のフローの変形例＞
ここで、図８の例では、前記（手順３１３）においてＭｅＮＢ１２がＭＭＥ３に対して通信経路の確立の要求の信号を送信し、前記（手順３１４）においてＭＭＥ３がＳ−ＧＷ２に対して通信経路の確立の要求の信号を送信する構成であるが、他の構成例として、前記（手順３１３）の代わりに、ＭｅＮＢ１２は直接Ｓ−ＧＷ２に対して通信経路の確立の要求の信号を送信する構成が用いられてもよい。この他の構成例では、前記（手順３１４）、前記（手順３１７）〜前記（手順３１８）は設けられず、前記（手順３１８）の代わりに、Ｓ−ＧＷ２が直接ＭｅＮＢ１２に通信経路の確立が完了したことを通知する信号を送信する。
このような他の構成例において、ＭｅＮＢ１２では、通信経路制御部３３１は、Ｓ−ＧＷ２に対して通信経路の確立の要求の信号を送信する処理や、Ｓ−ＧＷ２から通信経路の確立が完了したことを通知する信号を受信する処理を実行するように制御する。
【０１３０】
＜第４実施形態のまとめ＞
以上のように、本実施形態に係る通信システムにおいても、第３実施形態と同様な効果を得ることができる。
【０１３１】
［第５実施形態］
本実施形態に係る通信システムは、第１実施形態〜第４実施形態のうちの任意の２つ以上の実施形態の機能を組み合わせた通信システムである。
第１実施形態〜第４実施形態の機能は、任意に組み合わされることが可能である。具体的には、本実施形態に係る通信システムの各装置（例えば、ＵＥ１、Ｓ−ＧＷ２、ＭＭＥ３、ＳｅＮＢ１１、ＭｅＮＢ１２の装置）は、任意の２つ以上の実施形態の機能を有しており、そして、任意の実施形態の機能を使用して当該実施形態に係る通信経路の処理（通信経路の切り替えの処理、または、通信経路の確立の処理）を制御して実行する。
【０１３２】
［以上の実施形態に係る構成例］
一構成例として、端末管理装置（図１の例では、ＭＭＥ３）から送信される制御信号（図１の例では、Ｃ−Ｐｌａｎｅのデータの信号）を受信し、当該制御信号を端末装置（図１の例では、ＵＥ１）に対して送信するように制御する制御信号通信制御部（図３の例では、制御信号通信制御部３３３）と、通信装置（図１の例では、Ｓ−ＧＷ２）から送信されるデータ信号（図１の例では、Ｕ−Ｐｌａｎｅのデータの信号）を受信し、当該データ信号を前記端末装置に対して送信するように制御するデータ通信制御部（図３の例では、データ通信制御部３３２）と、前記通信装置から自装置（図１の例では、ＭｅＮＢ１２）を経由して前記端末装置へ前記データ信号を送信する通信経路から、前記通信装置から他の基地局装置（図１の例では、ＳｅＮＢ１１）を経由して前記端末装置へ前記データ信号を送信する通信経路へ切り替えることを、当該他の基地局装置に通知する通信経路制御部（図３の例では、通信経路制御部３３１）と、を備える基地局装置（図１の例では、ＭｅＮＢ１２）である（第１実施形態に係る図４の例では（手順１）〜（手順２）、第２実施形態に係る図５の例では（手順１０１）〜（手順１０２））。
【０１３３】
一構成例として、端末管理装置（図６の例では、ＭＭＥ３）から送信される制御信号（図６の例では、Ｃ−Ｐｌａｎｅのデータの信号）を受信し、当該制御信号を端末装置（図６の例では、ＵＥ１）に対して送信するように制御する制御信号通信制御部（図３の例では、制御信号通信制御部３３３）と、通信装置（図６の例では、Ｓ−ＧＷ２）から他の基地局装置（図６の例では、ＳｅＮＢ１１）を経由して前記端末装置へデータ信号（図６の例では、Ｕ−Ｐｌａｎｅのデータの信号）を送信する通信経路を確立することを、当該他の基地局装置に通知する通信経路制御部（図３の例では、通信経路制御部３３１）と、を備える基地局装置（図６の例では、ＭｅＮＢ１２）である（第３実施形態に係る図７の例では（手順２０１）〜（手順２０２）、第４実施形態に係る図８の例では（手順３０１）〜（手順３０２））。
【０１３４】
一構成例として、端末管理装置から送信されて他の基地局装置（図１の例では、ＭｅＮＢ１２）を経由する制御信号を受信する端末装置へ通信装置から前記他の基地局装置を経由してデータ信号を送信する通信経路から、前記端末装置へ前記通信装置から自装置（図１の例では、ＳｅＮＢ１１）を経由してデータ信号を送信する通信経路へ切り替える要求を前記端末管理装置に送信することで、前記端末管理装置を経由させて前記通信装置へ伝える通信経路制御部（図２の例では、通信経路制御部２３１）と、前記通信装置から送信されるデータ信号を受信し、当該データ信号を前記端末装置に対して送信するように制御するデータ通信制御部（図２の例では、データ通信制御部２３２）と、を備える基地局装置（図１の例では、ＳｅＮＢ１１）である（第１実施形態に係る図４の例では（手順１６））。
【０１３５】
一構成例として、端末管理装置から送信されて他の基地局装置（図１の例では、ＭｅＮＢ１２）を経由する制御信号を受信する端末装置へ通信装置から前記他の基地局装置（図１の例では、ＭｅＮＢ１２）を経由してデータ信号を送信する通信経路から、前記端末装置へ前記通信装置から自装置（図１の例では、ＳｅＮＢ１１）を経由してデータ信号を送信する通信経路へ切り替える要求を前記通信装置に送信する通信経路制御部（図２の例では、通信経路制御部２３１）と、前記通信装置から送信されるデータ信号を受信し、当該データ信号を前記端末装置に対して送信するように制御するデータ通信制御部（図２の例では、データ通信制御部２３２）と、を備える基地局装置（図１の例では、ＳｅＮＢ１１）である（第１実施形態に係る図４の変形例）。
【０１３６】
一構成例として、端末管理装置から送信されて他の基地局装置（図６の例では、ＭｅＮＢ１２）を経由する制御信号を受信する端末装置へ通信装置から自装置（図６の例では、ＳｅＮＢ１１）を経由してデータ信号を送信する通信経路を確立する要求を前記端末管理装置に送信することで、前記端末管理装置を経由させて前記通信装置へ伝える通信経路制御部（図２の例では、通信経路制御部２３１）と、前記通信装置から送信されるデータ信号を受信し、当該データ信号を前記端末装置に対して送信するように制御するデータ通信制御部（図２の例では、データ通信制御部２３２）と、を備える基地局装置（図６の例では、ＳｅＮＢ１１）である（第３実施形態に係る図７の例では（手順２１２））。
【０１３７】
一構成例として、端末管理装置から送信されて他の基地局装置（図６の例では、ＭｅＮＢ１２）を経由する制御信号を受信する端末装置へ通信装置から自装置（図６の例では、ＳｅＮＢ１１）を経由してデータ信号を送信する通信経路を確立する要求を前記通信装置に送信する通信経路制御部（図２の例では、通信経路制御部２３１）と、前記通信装置から送信されるデータ信号を受信し、当該データ信号を前記端末装置に対して送信するように制御するデータ通信制御部（図２の例では、データ通信制御部２３２）と、を備える基地局装置（図６の例では、ＳｅＮＢ１１）である（第３実施形態に係る図７の変形例）。
【０１３８】
一構成例として、端末管理装置から送信される制御信号を受信し、当該制御信号を端末装置に対して送信するように制御する制御信号通信制御部（図３の例では、制御信号通信制御部３３３）と、通信装置から送信されるデータ信号を受信し、当該データ信号を前記端末装置に対して送信するように制御するデータ通信制御部（図３の例では、データ通信制御部３３２）と、前記通信装置から自装置（図１の例では、ＭｅＮＢ１２）を経由して前記端末装置へ前記データ信号を送信する通信経路から、前記通信装置から他の基地局装置（図１の例では、ＳｅＮＢ１１）を経由して前記端末装置へ前記データ信号を送信する通信経路へ切り替える要求を前記端末管理装置に送信することで、前記端末管理装置を経由させて前記通信装置へ伝える通信経路制御部（図３の例では、通信経路制御部３３１）と、を備える基地局装置（図１の例では、ＭｅＮＢ１２）である（第２実施形態に係る図５の例では（手順１１７））。
【０１３９】
一構成例として、端末管理装置から送信される制御信号を受信し、当該制御信号を端末装置に対して送信するように制御する制御信号通信制御部（図３の例では、制御信号通信制御部３３３）と、通信装置から送信されるデータ信号を受信し、当該データ信号を前記端末装置に対して送信するように制御するデータ通信制御部（図３の例では、データ通信制御部３３２）と、前記通信装置から自装置（図１の例では、ＭｅＮＢ１２）を経由して前記端末装置へ前記データ信号を送信する通信経路から、前記通信装置から他の基地局装置（図１の例では、ＳｅＮＢ１１）を経由して前記端末装置へ前記データ信号を送信する通信経路へ切り替える要求を前記通信装置に送信する通信経路制御部（図３の例では、通信経路制御部３３１）と、を備える基地局装置（図１の例では、ＭｅＮＢ１２）である（第２実施形態に係る図５の変形例）。
【０１４０】
一構成例として、端末管理装置から送信される制御信号を受信し、当該制御信号を端末装置に対して送信するように制御する制御信号通信制御部（図３の例では、制御信号通信制御部３３３）と、通信装置から他の基地局装置（図６の例では、ＳｅＮＢ１１）を経由して前記端末装置へデータ信号を送信する通信経路を確立する要求を前記端末管理装置に送信することで、前記端末管理装置を経由させて前記通信装置へ伝える通信経路制御部（図３の例では、通信経路制御部３３１）と、を備える基地局装置（図６の例では、ＭｅＮＢ１２）である（第４実施形態に係る図８の例では（手順３１３））。
【０１４１】
一構成例として、端末管理装置から送信される制御信号を受信し、当該制御信号を端末装置に対して送信するように制御する制御信号通信制御部（図３の例では、制御信号通信制御部３３３）と、通信装置から他の基地局装置（図６の例では、ＳｅＮＢ１１）を経由して前記端末装置へデータ信号を送信する通信経路を確立する要求を前記通信装置に送信する通信経路制御部（図３の例では、通信経路制御部３３１）と、を備える基地局装置（図６の例では、ＭｅＮＢ１２）である（第４実施形態に係る図８の変形例）。
【０１４２】
一構成例として、前記した通信経路の切り替えまたは前記した通信経路の確立は、Ｉｎｔｒａ−ＭＭＥ／Ｓｅｒｖｉｎｇ  Ｇａｔｅｗａｙ  ＨＯの手続きをベースとしたプロトコルを用いて行われる（第１実施形態に係る図４の例、第２実施形態に係る図５の例、第３実施形態に係る図７の例、第４実施形態に係る図８の例）。
【０１４３】
一構成例として、端末管理装置から送信されて第１の基地局装置（図１の例では、ＭｅＮＢ１２）を経由する制御信号を受信する端末装置へ自装置（図１の例では、Ｓ−ＧＷ２）から前記第１の基地局装置を経由してデータ信号を送信する通信経路から、前記端末装置へ自装置から第２の基地局装置（図１の例では、ＳｅＮＢ１１）を経由してデータ信号を送信する通信経路へ切り替える要求を受信したことに応じて、通信経路を切り替える、通信装置（図１の例では、Ｓ−ＧＷ２）である（第１実施形態に係る図４の例では（手順１８）、第２実施形態に係る図５の例では（手順１１９））。
【０１４４】
一構成例として、端末管理装置から送信されて第１の基地局装置（図６の例では、ＭｅＮＢ１２）を経由する制御信号を受信する端末装置へ自装置（図６の例では、Ｓ−ＧＷ２）から第２の基地局装置（図６の例では、ＳｅＮＢ１１）を経由してデータ信号を送信する通信経路を確立する要求を受信したことに応じて、通信経路を確立する、通信装置（図６の例では、Ｓ−ＧＷ２）である（第３実施形態に係る図７の例では（手順２１４）、第４実施形態に係る図８の例では（手順３１５））。
【０１４５】
一構成例として、端末管理装置から送信されて第１の基地局装置（図１の例では、ＭｅＮＢ１２）を経由する制御信号を受信する端末装置へ通信装置から前記第１の基地局装置を経由してデータ信号を送信する通信経路から、前記端末装置へ前記通信装置から第２の基地局装置（図１の例では、ＳｅＮＢ１１）を経由してデータ信号を送信する通信経路へ切り替える、通信システム（第１実施形態に係る通信システム、第２実施形態に係る通信システム）である。
【０１４６】
一構成例として、端末管理装置から送信されて第１の基地局装置（図６の例では、ＭｅＮＢ１２）を経由する制御信号を受信する端末装置へ通信装置から第２の基地局装置（図６の例では、ＳｅＮＢ１１）を経由してデータ信号を送信する通信経路を確立する、通信システム（第３実施形態に係る通信システム、第４実施形態に係る通信システム）である。
【０１４７】
一構成例として、端末管理装置から送信されて第１の基地局装置（図１の例では、ＭｅＮＢ１２）を経由する制御信号を受信する端末装置へ通信装置から前記第１の基地局装置を経由してデータ信号を送信する通信経路から、前記端末装置へ前記通信装置から第２の基地局装置（図１の例では、ＳｅＮＢ１１）を経由してデータ信号を送信する通信経路へ切り替える、通信方法（第１実施形態に係る通信システムにおいて行われる通信の方法、第２実施形態に係る通信システムにおいて行われる通信の方法）である。
【０１４８】
一構成例として、端末管理装置から送信されて第１の基地局装置（図６の例では、ＭｅＮＢ１２）を経由する制御信号を受信する端末装置へ通信装置から第２の基地局装置（図６の例では、ＳｅＮＢ１１）を経由してデータ信号を送信する通信経路を確立する、通信方法（第３実施形態に係る通信システムにおいて行われる通信の方法、第４実施形態に係る通信システムにおいて行われる通信の方法）である。
【０１４９】
なお、制御信号、データ信号、それぞれの基地局装置（第１の基地局装置、第２の基地局装置）、端末装置（例えば、基地局装置と無線により通信する装置）、端末管理装置（例えば、端末装置に関する情報を記憶して管理する装置）、通信装置（例えば、ネットワーク（一例として、外部のネットワークであるインターネット）と接続される装置）などとしては、それぞれ、以上の実施形態で示したもの（図１や図６に示されるもの）とは異なるもの（例えば、異なる通信システムの装置）に適用されてもよい。
【０１５０】
［以上の実施形態のまとめ］
以上、本発明の実施形態について図面を参照して詳述したが、具体的な構成はこの実施形態に限られるものではなく、本発明の要旨を逸脱しない範囲の設計変更等も含まれる。
【０１５１】
また、以上に示した実施形態に係る各装置（例えば、ＵＥ１、Ｓ−ＧＷ２、ＭＭＥ３、ＳｅＮＢ１１、ＭｅＮＢ１２の装置）の機能を実現するためのプログラムをコンピュータ読み取り可能な記録媒体に記録して、この記録媒体に記録されたプログラムをコンピュータシステムに読み込ませ、実行することにより、処理を行ってもよい。
【０１５２】
なお、ここでいう「コンピュータシステム」とは、オペレーティング・システム（ＯＳ：Ｏｐｅｒａｔｉｎｇ  Ｓｙｓｔｅｍ）や周辺機器等のハードウェアを含むものであってもよい。
また、「コンピュータ読み取り可能な記録媒体」とは、フレキシブルディスク、光磁気ディスク、ＲＯＭ（Ｒｅａｄ  Ｏｎｌｙ  Ｍｅｍｏｒｙ）、フラッシュメモリ等の書き込み可能な不揮発性メモリ、ＤＶＤ（Ｄｉｇｉｔａｌ  Ｖｅｒｓａｔｉｌｅ  Ｄｉｓｋ）等の可搬媒体、コンピュータシステムに内蔵されるハードディスク等の記憶装置のことをいう。
【０１５３】
さらに、「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記のプログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピュータシステムに既に記録されているプログラムとの組み合わせで実現できるもの、いわゆる差分ファイル（差分プログラム）であってもよい。
【符号の説明】
【０１５４】
１、１００１…ＵＥ、２、１００２…Ｓ−ＧＷ、３、１００３…ＭＭＥ、４、１００４…インターネット、１１、１０１１…ＳｅＮＢ、１２、１０１２…ＭｅＮＢ、１０１〜１０２、１１０１〜１１０２…通信領域、２１１、３１１…通信部、２１２、３１２…記憶部、２１３、３１３…制御部、２３１、３３１…通信経路制御部、２３２、３３２…データ通信制御部、３３３…制御信号通信制御部
【図１】
2015170891.tif 000003
【図２】
2015170891.tif 000004
【図３】
2015170891.tif 000005
【図４】
2015170891.tif 000006
【図５】
2015170891.tif 000007
【図６】
2015170891.tif 000008
【図７】
2015170891.tif 000009
【図８】
2015170891.tif 000010
【図９】
2015170891.tif 000011
【図１０】
2015170891.tif 000012